(57)【要約】【課題】スピーカユニットが頭部から取外され、再装着されるとき、スピーカユニットの着脱に応じて、音声信号の出力の停止又は開始をすることが可能な、新規かつ改良された音声再生装置を提供すること。【解決手段】音声信号の出力を制御する再生制御部１１２と、頭部に装着され、再生制御部からの音声信号を受信して、音声を出力するスピーカユニット１２２と、スピーカユニットの頭部への装着及び頭部からの取外しを検出する着脱検出部１２４と、着脱検出部が、スピーカユニットの取外しを検出してから再装着を検出するまでの経過時間を測定する時間測定部１１４とを備え、経過時間に応じて、再生制御部が音声信号の出力を停止又は開始することを特徴とする。【選択図】図１
2008289101.tif 000002
【特許請求の範囲】
【請求項１】
音声信号の出力を制御する再生制御部と、
頭部に装着され、前記再生制御部からの前記音声信号を受信して、音声を出力するスピーカユニットと、
前記スピーカユニットの前記頭部への装着及び前記頭部からの取外しを検出する着脱検出部と、
前記着脱検出部が、前記スピーカユニットの取外しを検出してから再装着を検出するまでの経過時間を測定する時間測定部と、
を備え、
前記経過時間に応じて、前記再生制御部が前記音声信号の出力を停止又は開始することを特徴とする、音声再生装置。
【請求項２】
前記経過時間が一定時間以上であるとき、前記再生制御部が前記音声信号の出力を停止することを特徴とする、請求項１に記載の音声再生装置。
【請求項３】
前記経過時間が一定時間以上であるとき、電源をオフとすることを特徴とする、請求項１に記載の音声再生装置。
【請求項４】
前記経過時間が一定時間未満であるとき、
前記再生制御部が前記音声信号の出力を停止した後、
前記再装着時に、前記再生制御部が、前記取外し時に出力されていた前記音声信号から出力を再開することを特徴とする、請求項１に記載の音声再生装置。
【請求項５】
前記スピーカユニットは、前記頭部の両耳にそれぞれ装着されるように２つ設けられ、
前記着脱検出部は、前記２つのスピーカユニットにそれぞれ設けられ、個別に前記スピーカユニットの前記頭部への装着及び前記頭部からの取外しを検出することを特徴とする、請求項１に記載の音声再生装置。
【請求項６】
前記両耳のうち一方の耳に設けられた前記着脱検出部が検出して、前記時間測定部によって得られた前記経過時間に応じて、前記再生制御部が、前記音声信号の出力を停止することを特徴とする、請求項５に記載の音声再生装置。
【請求項７】
前記両耳に設けられた２つの前記着脱検出部が検出して、前記時間測定部によって得られた前記経過時間に応じて、前記再生制御部が、前記音声信号の出力を停止することを特徴とする、請求項５に記載の音声再生装置。
【請求項８】
前記スピーカユニットに接続されたヘッドバンドを備え、
前記着脱検出部は、前記ヘッドバンドに更に設けられ、
前記ヘッドバンドに設けられた前記着脱検出部は、前記スピーカユニットに設けられた前記着脱検出部とは別に前記スピーカユニットの前記頭部への装着及び前記頭部からの取外しを検出することを特徴とする、請求項５に記載の音声再生装置。
【請求項９】
音声信号を出力する再生制御部と、
頭部に装着され、前記再生制御部からの前記音声信号を受信して、音声を出力するスピーカユニットと、
前記スピーカユニットが設けられたハウジングと、
前記ハウジングに対して回動可能であり、前記ハウジングを耳に掛ける耳掛け部と、
前記耳掛け部の回動角度を検出する角度検出部と、
を備え、
前記耳掛け部の回動角度に応じて、前記再生制御部が前記音声信号の出力を停止又は開始することを特徴とする、音声再生装置。
【請求項１０】
前記耳掛け部が、前記ハウジングを耳に装着又は耳から取外しできる第１の角度に回動された後、前記耳掛け部が、前記ハウジングを耳に装着したときの第２の角度で固定されたとき、前記再生制御部が前記音声信号の出力を開始することを特徴とする、請求項９に記載の音声再生装置。
【請求項１１】
前記耳掛け部が、前記ハウジングを耳に装着又は耳から取外しできる第１の角度に回動された後、前記耳掛け部が、前記ハウジングを耳から完全に取外ししたときの第３の角度で固定されたとき、前記再生制御部が前記音声信号の出力を停止することを特徴とする、請求項９に記載の音声再生装置。
【請求項１２】
音声信号を出力する再生制御部と、
頭部に装着され、前記再生制御部からの前記音声信号を受信して、音声を出力するスピーカユニットと、
前記スピーカユニットの前記頭部への装着及び前記頭部からの取外しを検出する着脱検出部と、
前記スピーカユニットに設けられ、外部の音を収音するマイクロフォンユニットと、
を備え、
前記着脱検出部が前記スピーカユニットの取外しを検出し、前記マイクロフォンユニットが人の音声を収音したとき、前記再生制御部が前記音声信号の出力を停止することを特徴とする、音声再生装置。
【請求項１３】
頭部に装着されたスピーカユニットへの音声信号の出力を制御するステップと、
前記スピーカユニットの前記頭部への装着及び前記頭部からの取外しを検出するステップと、
前記スピーカユニットの取外しを検出してから再装着を検出するまでの経過時間を測定するステップと、
前記経過時間に応じて、前記音声信号の出力を停止又は開始するステップと、
を含むことを特徴とする、音声再生方法。
【請求項１４】
頭部に装着されたスピーカユニットへの音声信号の出力を制御するステップと、
前記スピーカユニットが設けられたハウジングに対して回動可能であり、前記ハウジングを耳に掛ける耳掛け部の回動角度を検出するステップと、
前記耳掛け部の回動角度に応じて、前記音声信号の出力を停止又は開始するステップと、
を含むことを特徴とする、音声再生方法。
【請求項１５】
頭部に装着されたスピーカユニットへの音声信号の出力を制御するステップと、
前記スピーカユニットの前記頭部への装着及び前記頭部からの取外しを検出するステップと、
前記スピーカユニットの取外しを検出し、前記スピーカユニットに設けられたマイクロフォンユニットが人の音声を収音したとき、前記音声信号の出力を停止するステップと、
を含むことを特徴とする、音声再生方法。
【請求項１６】
頭部に装着されたスピーカユニットへの音声信号の出力を制御する手段と、
前記スピーカユニットの前記頭部への装着及び前記頭部からの取外しを検出する手段と、
前記スピーカユニットの取外しを検出してから再装着を検出するまでの経過時間を測定する手段と、
前記経過時間に応じて、前記音声信号の出力を停止又は開始する手段と、
を含み、音声再生装置としてコンピュータを機能させることを特徴とする、コンピュータプログラム。
【請求項１７】
頭部に装着されたスピーカユニットへの音声信号の出力を制御する手段と、
前記スピーカユニットが設けられたハウジングに対して回動可能であり、前記ハウジングを耳に掛ける耳掛け部の回動角度を検出する手段と、
前記耳掛け部の回動角度に応じて、前記音声信号の出力を停止又は開始する手段と、
を含み、音声再生装置としてコンピュータを機能させることを特徴とする、コンピュータプログラム。
【請求項１８】
頭部に装着されたスピーカユニットへの音声信号の出力を制御する手段と、
前記スピーカユニットの前記頭部への装着及び前記頭部からの取外しを検出する手段と、
前記スピーカユニットの取外しを検出し、前記スピーカユニットに設けられたマイクロフォンユニットが人の音声を収音したとき、前記音声信号の出力を停止するステップと、
を含み、音声再生装置としてコンピュータを機能させることを特徴とする、コンピュータプログラム。
【発明の詳細な説明】
【技術分野】
【０００１】
本発明は、音声再生装置に関する。
【背景技術】
【０００２】
音声再生装置は、例えば、再生音、例えば音楽や人の音声を発するヘッドフォンと、再生音を出力制御する制御部を有する本体部からなり、例えば、携帯用音楽再生装置や携帯用ラジオなどがある。また、近年では、本体部に画像表示可能な画面が設けられ、映像と音声を同時に再生して映画やテレビ放送などを視聴することができるものもある。通常、再生音又は再生画像の出力制御は、本体部に設けられた操作部や、本体部とは別に設けられたリモートコントロールによる操作によって行われる。操作部やリモートコントロールによる操作には、再生音又は再生画像の再生開始や停止、電源のオン及びオフなどがある。
【０００３】
ヘッドフォンは、スピーカユニットを内蔵するハウジングの大きさや人の耳との配置関係によって、耳覆い型、耳載せ型、イントラコンカ型、インサート型などに分類される。そして、ヘッドフォンは、ハウジングに接続された、例えば帯状のバンドでハウジングが保持される。バンドは、頭部との配置関係によって、ネックバンド、ヘッドバンドなどに分類される。更に、ヘッドフォンには、ハウジングを直接耳に掛けるための耳掛けアームを有する耳掛け型がある。
【０００４】
また、ヘッドフォンには、ハウジング内部に伝達される外部の騒音を低減させるため、ノイズキャンセラ機能を有するものがある。ノイズキャンセラ機能を有するヘッドフォンは、ハウジングにマイクロフォンユニットが設けられ、音声信号に、騒音に対して振幅が等しく逆位相になる信号を加算してスピーカユニットから音声を出力することで、外部の騒音を低減させて本体部からの再生音を聴くことができる。特許文献１には、この技術を有するヘッドフォンが開示されている。
【０００５】
【特許文献１】特開平７−２４０９８９号公報
【発明の開示】
【発明が解決しようとする課題】
【０００６】
ところで、音声再生装置の操作は、上述のように本体部に設けられた操作部や、リモートコントロールによって行う必要があった。そのため、ヘッドフォンを耳部から取外しても、操作部等で停止操作を行わない限り、再生音が再生し続けた。そして、操作部における電源オフの操作を忘れると、音楽再生装置に設けられた電池などの電力を無駄に消耗してしまうという問題があった。
【０００７】
また、ヘッドフォンを装着して再生音を聴いているときに、他人と応答する必要が生じて、一時的にヘッドフォンを外した後、長時間かからずに再び装着した場合、再生音は、ヘッドフォンを取外している期間だけ進んでしまっているため、聞き逃した部分を再生させるためには、操作部等で巻戻し操作を行う必要があった。
【０００８】
そこで、本発明は、上記問題に鑑みてなされたものであり、本発明の目的とするところは、スピーカユニットが頭部から取外され、再装着されるとき、スピーカユニットの着脱に応じて、音声信号の出力の停止又は開始をすることが可能な、新規かつ改良された音声再生装置を提供することにある。
【課題を解決するための手段】
【０００９】
上記課題を解決するために、本発明のある観点によれば、音声信号の出力を制御する再生制御部と、頭部に装着され、再生制御部からの音声信号を受信して、音声を出力するスピーカユニットと、スピーカユニットの頭部への装着及び頭部からの取外しを検出する着脱検出部と、着脱検出部が、スピーカユニットの取外しを検出してから再装着を検出するまでの経過時間を測定する時間測定部とを備え、経過時間に応じて、再生制御部が音声信号の出力を停止又は開始することを特徴とする音声再生装置が提供される。
【００１０】
かかる構成により、スピーカユニットは、頭部に装着が可能であり、着脱検出部は、スピーカユニットの頭部への装着と、頭部からの取外しとを検出し、時間測定部は、着脱検出部がスピーカユニットの取外しを検出してから再装着までの経過時間を測定する。再生制御部は、スピーカユニットの着脱に応じて、例えば時間測定部で測定された経過時間に応じて、音声信号の出力を停止又は開始することができる。
【００１１】
上記経過時間が一定時間以上であるとき、再生制御部が音声信号の出力を停止するものであってもよい。かかる構成により、着脱検出部がスピーカユニットの取外しを検出してから再装着を検出するまでの経過時間が一定時間以上になると、再生制御部は、音声信号の出力を停止する。
【００１２】
上記経過時間が一定時間以上であるとき、電源をオフとするものであってもよい。かかる構成により、着脱検出部がスピーカユニットの取外しを検出してから再装着を検出するまでの経過時間が一定時間以上になると、電源がオフになる。
【００１３】
上記経過時間が一定時間未満であるとき、再生制御部が音声信号の出力を停止した後、再装着時に、再生制御部が、取外し時に出力されていた音声信号から出力を再開するものであってもよい。かかる構成により、着脱検出部がスピーカユニットの取外しを検出してから再装着を検出するまでの経過時間が一定時間未満であれば、再生制御部は、一度音声信号の出力を停止した後、スピーカユニットが頭部から取外されたときに出力されていた音声信号から出力を再開するので、別途巻戻し操作をする必要がない。
【００１４】
上記スピーカユニットは、頭部の両耳にそれぞれ装着されるように２つ設けられ、着脱検出部は、２つのスピーカユニットにそれぞれ設けられ、個別にスピーカユニットの頭部への装着及び頭部からの取外しを検出するものであってもよい。かかる構成により、２つの着脱検出部がスピーカユニットに１つずつ設けられる。そして、いずれかの着脱検出部がスピーカユニットの着脱を検出することで、音声信号を停止又は開始することができる。または、両方の着脱検出部がスピーカユニットの着脱を検出することで、音声信号を停止又は開始することができる。
【００１５】
上記両耳のうち一方の耳に設けられた着脱検出部が検出して、時間測定部によって得られた経過時間に応じて、再生制御部が、音声信号の出力を停止するものであってもよい。かかる構成により、２つのスピーカユニットにそれぞれ設けられたいずれかの着脱検出部がスピーカユニットの着脱を検出することで、音声信号を停止又は開始することができる。
【００１６】
上記両耳に設けられた２つの着脱検出部が検出して、時間測定部によって得られた経過時間に応じて、再生制御部が、音声信号の出力を停止するものであってもよい。かかる構成により、両方の着脱検出部がスピーカユニットの着脱を検出することで、音声信号を停止又は開始することができる。
【００１７】
上記スピーカユニットに接続されたヘッドバンドを備え、着脱検出部は、ヘッドバンドに更に設けられ、ヘッドバンドに設けられた着脱検出部は、スピーカユニットに設けられた着脱検出部とは別にスピーカユニットの頭部への装着及び頭部からの取外しを検出するものであってもよい。かかる構成により、着脱検出部は、ヘッドバンドが頭部に装着されたとき及び取外されたとき、スピーカユニットの頭部への装着及び頭部からの取外しを検出する。
【００１８】
また、上記課題を解決するために、本発明の別の観点によれば、音声信号を出力する再生制御部と、頭部に装着され、再生制御部からの音声信号を受信して、音声を出力するスピーカユニットと、スピーカユニットが設けられたハウジングと、ハウジングに対して回動可能であり、ハウジングを耳に掛ける耳掛け部と、耳掛け部の回動角度を検出する角度検出部とを備え、耳掛け部の回動角度に応じて、再生制御部が音声信号の出力を停止又は開始することを特徴とする音声再生装置が提供される。
【００１９】
かかる構成により、スピーカユニットは、頭部に装着が可能であり、着脱検出部は、スピーカユニットの頭部への装着と、頭部からの取外しとを検出し、角度検出部は、ハウジングに対して回動可能であり、ハウジングを耳に掛ける耳掛け部の回動角度を検出する。再生制御部は、スピーカユニットの着脱に応じて、例えば角度検出部で検出した回動角度に応じて、音声信号の出力を停止又は開始することができる。
【００２０】
上記耳掛け部が、ハウジングを耳に装着又は耳から取外しできる第１の角度に回動された後、耳掛け部が、ハウジングを耳に装着したときの第２の角度で固定されたとき、再生制御部が音声信号の出力を開始するものであってもよい。かかる構成により、ハウジングを耳に装着するため第１の角度に耳掛け部が回動された後、ハウジングが耳に装着されて耳掛け部が第２の角度で固定された場合、音声信号の出力が開始される。
【００２１】
上記耳掛け部が、ハウジングを耳に装着又は耳から取外しできる第１の角度に回動された後、耳掛け部が、ハウジングを耳から完全に取外ししたときの第３の角度で固定されたとき、再生制御部が音声信号の出力を停止するものであってもよい。かかる構成により、ハウジングを耳から取外しするため第１の角度に耳掛け部が回動された後、ハウジングが耳から完全に取外されて耳掛け部が第３の角度で固定された場合、音声信号の出力が停止される。
【００２２】
また、上記課題を解決するために、本発明の別の観点によれば、音声信号を出力する再生制御部と、頭部に装着され、再生制御部からの音声信号を受信して、音声を出力するスピーカユニットと、スピーカユニットの頭部への装着及び頭部からの取外しを検出する着脱検出部と、スピーカユニットに設けられ、外部の音を収音するマイクロフォンユニットとを備え、着脱検出部がスピーカユニットの取外しを検出し、マイクロフォンユニットが人の音声を収音したとき、再生制御部が音声信号の出力を停止することを特徴とする音声再生装置が提供される。
【００２３】
かかる構成により、スピーカユニットは、頭部に装着が可能であり、着脱検出部は、スピーカユニットの頭部への装着と、頭部からの取外しとを検出し、マイクロフォンユニットは人の音声を収音することができる。再生制御部は、着脱検出部によりスピーカユニットの取外しが検出され、マイクロフォンユニットにより人の音声が収音されたとき、音声信号の出力を停止することができる。
【発明の効果】
【００２４】
本発明によれば、スピーカユニットが頭部から取外され、再装着されるとき、スピーカユニットの着脱に応じて、音声信号の出力の停止又は開始をすることができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
（第１の実施形態）
まず、本発明の第１の実施形態に係る音声再生装置１００について説明する。図１は、本実施形態に係る音声再生装置１００を示すブロック図である。図２は、本実施形態に係るヘッドフォン１２０を示す斜視図である。
【００２７】
音声再生装置１００は、ヘッドフォン１２０を介して音声データを再生する。本実施形態に係る音声再生装置１００は、例えば、記録媒体（磁気ディスク、光ディスク、フラッシュメモリなど）に記録された音声データを再生する音声再生装置（携帯オーディオプレイヤー）や、携帯用ラジオ、携帯電話などが含まれる。
【００２８】
音声再生装置１００は、図１に示すように、本体１１０とヘッドフォン１２０と操作部１３０とを有する。なお、本実施形態では、ヘッドフォン１２０と接続される本体１１０及び本体１１０に接続される操作部１３０とが、ヘッドフォン１２０と別体である場合について説明するが、本発明はかかる例に限定されない。例えば、ヘッドフォン１２０に本体１１０、操作部１３０が設けられている一体型のものであってもよい。このとき、ヘッドフォン１２０に内部に本体１１０が内蔵され、ヘッドフォン１２０の外面に操作部１３０が設けられる。
【００２９】
本体１１０は、ヘッドフォン１２０と操作部１３０とに接続され、操作部１３０の操作を受けて、ヘッドフォン１２０に音声信号を出力する。本体１１０は、例えば、再生制御部１１２と、時間測定部１１４と、ノイズ低減制御部１１６と、音声再生部１１８とを有する。
【００３０】
音声再生部１１８は、音声データを音声信号に変換し、再生制御部１１２に音声信号を出力する。音声データには、例えば、記録媒体（例えば、磁気ディスク、光ディスク、フラッシュメモリなど）に記録された音声データ、放送局の送信機からの電波を受信して得られる音声データ、電話網から受信して得られる音声データ等が含まれる。従って、図示しないが、音声再生部１１８は、記録媒体、放送受信部、電話受信部等と接続される。
【００３１】
再生制御部１１２は、音声再生部１１８から音声信号を受けて、該音声信号をヘッドフォン１２０のスピーカユニット１２２に出力する。再生制御部１１２は、操作部１３０の操作を受けて、音声信号の出力を制御する。例えば、再生制御部１１２は、音声信号の再生、停止、一時停止、早送り、巻戻しなどを制御することができ、これらの制御に関する制御信号を音声再生部１１８に出力することで、ヘッドフォン１２０に出力する音声信号を再生、停止などする。ここで、一時停止とは、例えば、音声信号の再生を待機している状態であり、音声信号が停止された時点から再び再生可能な再生待機状態をいう。一方、停止とは、音声信号の再生を停止した後、初期状態に戻ることをいう。停止後に再び再生する場合、音声信号は、記録媒体に記録された複数あるトラックのうち最初のトラック、又は停止時点に再生途中であったトラックの初めから再生される。
【００３２】
また、再生制御部１１２は、時間測定部１１４から経過時間Ｔに関する情報を受信する。経過時間Ｔとは、時間測定部１１４で測定されるヘッドフォン１２０の取外しから再装着までの時間である。再生制御部１１２は、経過時間Ｔに応じて、音声信号の出力を停止又は開始する。具体的には、経過時間Ｔが一定時間以上、例えばＮ秒以上であるとき、再生制御部１１２は、音声信号の出力を停止する。また、経過時間ＴがＮ秒よりも長い一定時間以上、例えばＮ＋Ｌ秒以上であるとき、再生制御部１１２は、音声再生装置１００の電源をオフにする信号を電源制御部（図示せず。）に出力する。更に、経過時間Ｔが一定時間未満、例えばＮ秒未満であるとき、再生制御部１１２は、音声信号の出力を停止した後、ヘッドフォン１２０の再装着時に、取外し時に出力されていた音声信号から出力を再開する。
【００３３】
再生制御部１１２は、ノイズ低減制御部１１６からノイズ打消しのための信号を受信する。そして、再生制御部１１２は、ノイズ打消しのための信号と音声再生部１１８から受信した音声信号とを加算して、加算された信号をスピーカユニット１２２に出力する。その結果、スピーカユニット１２２では、ヘッドフォン１２０外部から伝達されるノイズが低減して聞こえる音声が再生される。
【００３４】
再生制御部１１２は、ノイズ低減制御部１１６から、マイクロフォンユニット１２６で収音された音声が、人の音声であると認識されたという認識信号を受信する。この認識信号を受信したとき、再生制御部１１２は、音声信号の出力を停止する。
【００３５】
時間測定部１１４は、着脱検出部１２４からヘッドフォン１２０の装着又は取外しを検出したことによる検出信号を受信する。時間測定部１１４は、ヘッドフォン１２０の取外しの検出信号を受信して時間の測定を開始する。そして、時間測定部１１４は、ヘッドフォン１２０の取外しの検出信号を受信してから、ヘッドフォン１２０の装着の検出信号を受信するまでの経過時間を測定する。時間測定部１１４で測定された経過時間は、再生制御部１１２に出力される。
【００３６】
ノイズ低減制御部１１６は、マイクロフォンユニット１２６で収音されて、音声から変換された電気信号が入力される。ノイズ低減制御部１１６は、ヘッドフォン１２０内部に伝達されるノイズを打ち消すため、入力された電気信号に基づいて、ノイズと振幅が等しく逆位相の信号を生成し、このノイズ打消しのための信号を再生制御部１１２に出力する。
【００３７】
ノイズ低減制御部１１６は、マイクロフォンユニット１２６で収音された音声を電気信号に変換した後、収音された音声が人の音声であるかを認識する音声認識部（図示せず。）を含む。音声認識の方法は、通常用いられる技術を適用することができ、詳細な説明は省略する。ノイズ低減制御部１１６は、音声認識部で人の音声を認識したとき、認識信号を再生制御部１１２に出力する。
【００３８】
ヘッドフォン１２０は、本体１１０から音声信号を受信して、音声を出力する（再生音を発する）。ヘッドフォン１２０は、例えば、図２に示すようなヘッドバンド形の装置であり、スピーカユニット１２２と、着脱検出部１２４Ａ、１２４Ｂ、１２４Ｃと、マイクロフォンユニット１２６を有する。
【００３９】
スピーカユニット１２２は、再生制御部１１２からの音声信号を受信して、音声を出力する。なお、スピーカユニット１２２は、再生制御部１１２と導線で接続されていてもよいし、無線で音声信号を受信するとしてもよい。無線で音声信号を送受信する場合は、図示しないが、音声信号を無線で発信する無線信号発信部が本体１１０に設けられ、音声信号を受信する無線信号受信部がヘッドフォン１２０に設けられる。
【００４０】
着脱検出部１２４Ａ、１２４Ｂ、１２４Ｃは、ヘッドフォン１２０の頭部への装着及び頭部からの取外しを検出する。着脱検出部１２４Ａ、１２４Ｂ、１２４Ｃは、例えば、感圧センサー、感温センサーなどであり、コンデンサーなどを用いた電気式のもの、バネなどを用いた機械式のものなど様々な態様について、適用することができる。着脱検出部１２４Ａ、１２４Ｂ、１２４Ｃは、装着又は取外しがされたことの信号を時間測定部１１４に出力する。
【００４１】
着脱検出部１２４Ａ、１２４Ｂは、図２に示すように、ヘッドフォン１２０のスピーカユニット１２２にそれぞれ設けられる。着脱検出部１２４Ｃは、ヘッドフォン１２０のヘッドバンドに設けられ、例えば頭部の頭頂部と当接するような位置に設けられる。なお、本実施形態では、ヘッドバンド形のヘッドフォン１２０について説明するが、本発明はかかる例に限定されない。例えば、ネックバンド形のヘッドフォンであってもよいし、後述する第２の実施形態のように耳掛け形のヘッドフォンであってもよい。そして、着脱検出部は、３つ設けられる場合に限定されず、スピーカユニットにのみ設けられて２つである場合でもよいし、片方のスピーカユニットにのみ設けられて１つである場合でもよい。
【００４２】
マイクロフォンユニット１２６は、スピーカユニット１２２外部の音を収音する。マイクロフォンユニット１２６は、図２に示すように、ヘッドフォン１２０の外部側に設けられる。マイクロフォンユニット１２６で収音された音は、電気信号に変換されて、該電気信号は、ノイズ低減制御部１１６に伝達される。
【００４３】
操作部１３０は、本体１１０の再生制御部１１２と接続され、再生制御部１１２からの音声信号の再生、停止、一時停止、早送り、巻戻しなどを操作することができる。
【００４４】
次に、音声再生装置１００のハードウェア構成について説明する。図３は、本実施形態に係る音声再生装置１００のハードウェア構成を示す説明図である。
【００４５】
音声再生装置１００は、ＣＰＵ（Central  Processing  Unit）１４１と、ＲＯＭ（Read  Only  Memory）１４２と、ＲＡＭ（Random  Access  Memory）１４３と、ホストバス１４４と、ブリッジ１４５と、外部バス１４６と、インタフェース１４７と、入力装置１４８と、出力装置１５０と、ストレージ装置（ＨＤＤ）１５１と、ドライブ１５２と、通信装置１５５とを備える。
【００４６】
ＣＰＵ１４１は、演算処理装置および制御装置として機能し、各種プログラムに従って音声再生装置１００内の動作全般を制御する。また、ＣＰＵ１４１は、マイクロプロセッサであってもよい。ＲＯＭ１４２は、ＣＰＵ１４１が使用するプログラムや演算パラメータ等を記憶する。ＲＡＭ１４３は、ＣＰＵ１４１の実行において使用するプログラムや、その実行において適宜変化するパラメータ等を一次記憶する。これらはＣＰＵバスなどから構成されるホストバス１４４により相互に接続されている。
【００４７】
ホストバス１４４は、ブリッジ１４５を介して、ＰＣＩ（Peripheral  Component  Interconnect／Interface）バスなどの外部バス１４６に接続されている。なお、必ずしもホストバス１４４、ブリッジ１４５および外部バス１４６を分離構成する必要はなく、１つのバスにこれらの機能を実装してもよい。
【００４８】
入力装置１４８は、例えば、マウス、キーボード、タッチパネル、ボタン、マイク、スイッチおよびレバーなどユーザが情報を入力するための操作部１３０と、ユーザによる入力に基づいて入力信号を生成し、ＣＰＵ１４１に出力する入力制御回路（図示せず。）などから構成されている。音声再生装置１００のユーザは、入力装置１４８を操作することにより、音声再生装置１００に対して各種のデータを入力したり処理動作を指示したりすることができる。
【００４９】
出力装置１５０は、例えば、音声出力装置であるヘッドフォン１２０などから構成される。出力装置１５０は、例えば、再生されたコンテンツを出力する。具体的には、ヘッドフォン１２０に対応する音声出力装置は、再生された音声データ等を音声に変換して出力する。
【００５０】
ストレージ装置１５１は、本実施形態に係る音声再生装置１００の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置１５１は、例えば、ＨＤＤ（Hard  Disk  Drive）で構成される。このストレージ装置１５１は、ハードディスクを駆動し、ＣＰＵ１４１が実行するプログラムや各種データを格納する。また、このストレージ装置１５１には、コンテンツデータや、コンテンツデータを検索するための検索用データベースなどが記憶される。なお、ストレージ装置１５１又は記憶媒体は、音声再生装置１００と着脱可能であってもよい。
【００５１】
ドライブ１５２は、記憶媒体用リーダライタであり、音声再生装置１００に内蔵又は外付けされる。ドライブ１５２は、装着されている磁気ディスク、光ディスク、光磁気ディスク、または半導体メモリ等のリムーバブル記憶媒体２０に記録されている情報を読み出して、ＲＡＭ１４３に出力する。
【００５２】
通信装置１５５は、例えば、通信網１０に接続するための通信デバイス等で構成された通信インタフェースである。また、通信装置１５５は、無線ＬＡＮ（Local  Area  Network）対応通信装置、ワイヤレスＵＳＢ対応通信装置、有線による通信を行うワイヤー通信装置、デジタル無線放送の受信装置等とすることができ、アンテナやテレビチューナを含んでもよい。通信装置１５５は、コンテンツ配信サーバ（図示せず。）やパーソナルコンピュータ（図示せず。）との間で、通信網１０を介してコンテンツデータを送受信することができる。
【００５３】
また、図示しないが、音声再生装置１００は、電源制御部を備える。電源制御部は、例えば、操作部１３０からの信号や、再生制御部１１２からの信号を受信して、音声再生装置１００の電源オン又はオフを行う。
【００５４】
次に、図４を参照して、本発明の第１の実施形態に係る音声再生装置１００の着脱検出の動作について説明する。図４は、本実施形態に係る音声再生装置１００の着脱検出を示すフローチャートである。
【００５５】
まず、音声再生装置１００は、例えば、再生制御部１１２が操作部１３０からの信号を受信して、音声再生部１１８から出力される音声信号を再生する（ステップＳ１０２）。このとき、スピーカユニット１２２が頭部に装着されているとする。
【００５６】
そして、再生中に頭部からスピーカユニット１２２が取外されるとする（ステップＳ１０４）。このとき、時間測定部１１４は、スピーカユニット１２２が取外された時点から経過時間の測定を開始する。なお、再生制御部１１２は、再生を継続していてもよい。その後、再び頭部にスピーカユニット１２２が装着される（ステップＳ１０６）。このとき、時間測定部１１４は、経過時間の測定を終了し、スピーカユニット１２２の取外しから再装着までの経過時間Ｔを算出し、再生制御部１１２に経過時間Ｔを出力する。
【００５７】
再生制御部１１２は、まず、経過時間Ｔが予め設定されたＮ秒よりも長いＮ＋Ｌ秒より長いか否かを判断する（ステップＳ１０８）。再生制御部１１２は、経過時間Ｔが、Ｎ＋Ｌ秒よりも長い場合は、電源制御部に電源オフをさせる信号を出力し、電源制御部は音声再生装置１００の電源をオフにする（ステップＳ１１０）。これにより、ヘッドフォン１２０の取外し時間が長い場合は、電源がオフになるので、電力の消費を節減することができる。
【００５８】
一方、経過時間Ｔが、Ｎ＋Ｌ秒以下であるときは、再生制御部１１２は、電源オフをさせる信号を電源制御部に出力することなく、まず、音声信号の出力を停止する（ステップＳ１１２）。音声再生装置１００は、電源がオンのままであるため、再生を短時間で行うことができる待機状態にある。次に、再生制御部１１２は、経過時間ＴがＮ秒よりも長いか否かを判断する（ステップＳ１１４）。
【００５９】
経過時間ＴがＮ秒よりも短い場合、再生制御部１１２は、取外し時に出力されていた音声信号から再生を再開する。即ち、再装着時から経過時間のＴ秒戻って、音声信号を再生する（ステップＳ１１８）。これにより、ヘッドフォン１２０の取外し時間が予め設定された時間Ｎ秒よりも短い場合は、操作部１３０で巻戻しの操作をすることなく、ヘッドフォン１２０取外し時の音声データから音声を聴くことができる。従って、取外し時間の音声を聞き逃すことがない。なお、経過時間Ｔ秒と等しい時間だけ戻って再生信号を再生するとしたが、本発明はかかる例に限定されず、Ｔ秒よりも僅かに長い時間戻って再生を再開するとしてもよい。このようにすることで、ユーザは、音声が取外し時に確実に戻って再生されていることを認識することができる。
【００６０】
ステップＳ１１０で、経過時間ＴがＮ＋Ｌ秒より長いため、電源がオフにされた場合や、ステップＳ１１２で、経過時間ＴがＮ秒より長いため、音声信号が停止された場合は、次に、操作部１３０で再生操作が行われるまで、音声信号が再生されることはない。この状態で、再生制御部１１２は、操作部１３０で再生操作が行われたかどうかを判断し（ステップＳ１１６）、再生操作が行われた場合は、再生制御部１１２は、音声信号の再生を開始する（ステップＳ１０２）。一方、再生操作が行われない場合は、電源のオフ又は音声信号の停止の状態が継続する。
【００６１】
なお、図示しないが、スピーカユニット１２２の取外し（ステップＳ１０４）やスピーカユニット１２２の装着（ステップＳ１０６）において、着脱検出部１２４は、片方の耳から着脱検出部１２４Ａ又は着脱検出部１２４Ｂが離れたことによって、スピーカユニット１２２の取外し又は装着を検出するとすることができる。また、着脱検出部１２４Ａ及び着脱検出部１２４Ｂの両者が耳から離れたことによって、スピーカユニット１２２の取外し又は装着を検出するとしてもよい。更に、両耳だけでなく、頭頂部と当接する着脱検出部１２４Ｃが頭部から離れたことによって、スピーカユニット１２２の取外し又は装着を検出するとしてもよい。片方の耳が離れるだけで着脱を検出できるとすれば、簡易な方法で音声信号の再生又は停止を行うことができるし、両耳と頭頂部が離れることで初めて着脱を検出するとすれば、確実に着脱を検出することができるため誤動作を減らすことができる。
【００６２】
また、図示しないが、スピーカユニット１２２の取外し（ステップＳ１０４）は、着脱検出部１２４によるスピーカユニット１２２の取外しの検出だけでなく、着脱検出部１２４が取外しを検出しているときに、マイクロフォンユニット１２６が人の音声を収音し、音声認識部がその音を人の音声であると認識したときに初めて、スピーカユニット１２２が取外されたと判断されるとしてもよい。これにより、スピーカユニット１２２の取外しが行われたとき、誤動作で外れたのではなく、ユーザが他人と応答していて、音声信号を停止する必要があるときに取外しが行われていることを検出することができる。
【００６３】
なお、上述した実施形態では、２つの着脱検出部１２４Ａ、１２４Ｂが取外しを検出したとき、音声信号の再生が停止するとしたが、本発明はかかる例に限定されず、２つの着脱検出部１２４Ａ、１２４Ｂが取外しを検出したとき、音声再生装置２００の電源がオフになるとしてもよい。
【００６４】
（第２の実施形態）
次に、本発明の第２の実施形態に係る音声再生装置２００について説明する。図５は、本実施形態に係る音声再生装置２００を示すブロック図である。
【００６５】
音声再生装置２００は、図５に示すように、本体２１０とヘッドフォン２２０と操作部１３０とを有する。
【００６６】
本体２１０は、ヘッドフォン２２０と操作部１３０とに接続され、例えば、再生制御部１１２と、角度検出部２１４と、音声再生部１１８とを有する。再生制御部１１２及び音声再生部１１８については、上述した第１の実施形態と同様であるため、詳細な説明は省略する。
【００６７】
角度検出部２１４は、ヘッドフォン２２０の着脱検出部２２４からの信号を受けて、耳掛け部の回動角度を検出する。そして、角度検出部２１４は、回動角度に応じて、再生制御部１１２に音声信号を再生及び停止させる信号を出力する。
【００６８】
ヘッドフォン２２０は、耳掛け装着方式のヘッドフォンであり、図５に示すように、スピーカユニット１２２と着脱検出部２２４を有する。スピーカユニット１２２は、第１の実施形態と同様であり、詳細な説明は省略する。
【００６９】
ヘッドフォン２２０は、更に詳しくは、図６〜図１１に示す構成を有する。図６は、本実施形態に係る装着前の耳掛け装着方式のヘッドフォン２２０を示す斜視図である。図７は、図６のヘッドフォン２２０を示す側面図である。図８は、ヘッドフォン２２０の耳掛けアーム部を回転させて耳部に装着するときのヘッドフォン２２０を示す斜視図である。図９は、図８のヘッドフォン２２０を示す側面図である。図１０は、本実施形態のヘッドフォンを示す拡大断面図である。
【００７０】
図１０に示すように、スピーカユニット１２２は、ヘッドフォン本体部２４１内に、嵌合部２４１ａによって保持された状態で内蔵される。スピーカユニット１２２の放音部２４２ａ側は、例えば、スポンジ状のイヤーパッド２４３で覆われる。ヘッドフォン本体部２４１の背面側は、例えば、凸面状のハウジング２４４で覆われる。
【００７１】
ハウジング２４４には、円盤状の回転軸部２４５が設けられる。回転軸部２４５は、軸支持部材２４６に反時計周り方向に回転可能に支持される。軸支持部材２４６は、ヘッドフォン本体部２４１の中心の法線Ｏに対し、θ度偏心したＯ１を回転中心として、回転軸部２４５を支持する。ハウジング２４４に支持された回転軸部２４５の偏心角度θは４５度以内に設定されている。
【００７２】
耳掛けアーム２４８は、例えば、プラスチック成形品等からなり、図６〜図１０に示すように、支持部２４７を介して、回転軸部２４５に取り付けられる。耳掛けアーム２４８は、耳掛け部の一例である。耳掛けアーム２４８は、ハウジング２４４側から放音部２４２ａ側のイヤーパッド２４３の前面側に延出され、耳部（耳介）に装着される形状を有する。耳掛けアーム８の先端部は、例えば、丸みを帯びた保護端部２４８ａが形成される。
【００７３】
耳掛けアーム２４８は、回転軸部２４５と共にＯ１を回転中心としてハウジング２４４側から見て反時計周り方向に回転可能にされており、その回転範囲は規制されている。耳掛けアーム２４８の回転範囲について、図１１を参照して説明する。図１１は、ヘッドフォン２２０の回転軸部の回転範囲規制手段と回転位置ロック手段を示す平面図である。
【００７４】
軸支持部材２４６には、所定角度範囲にガイド溝２４９が形成され、このガイド溝２４９に、回転軸部２４５から突出したガイド突起２５０が係合される。従って、回転軸部２４５は、ガイド突起２５０がガイド溝２４９内を移動できる範囲で、回動可能である。
【００７５】
耳掛けアーム２４８が、回転前の位置、つまり、図６及び図７に示すように耳掛けアーム２４８がイヤーパッド２４３の前面側にほぼ接しているとき、即ちヘッドフォン２２０が耳部から完全に取外ししたときには、回転軸部２４５のガイド突起２５０は、図１１に示すように、ガイド溝２４９の一端部２４９ａの位置にある。このときの耳掛けアーム２４８の位置は、第３の角度（最小角）で固定されたときの位置の一例である。
【００７６】
耳掛けアーム２４８が回転されると、図８及び図９に示すように耳掛けアーム２４８は、イヤーパッド２４３の前面側から離間し、耳掛けアーム２４８の耳部への装着可能位置となり、回転軸部２４５のガイド突起２５０は、図１１に示すように、ガイド溝２４９の他端部２４９ｂに突き当たり規制される。このとき、ガイド突起２５０は、その端部がガイド溝２４９の端部に形成された狭小部２５１に圧入係合されて一時的にロックさせることができる回転位置ロック手段を備えている。このときの耳掛けアーム２４８の位置は、第１の角度（最大角）に回動されたときの位置の一例である。
【００７７】
回転軸部２４５には、コイルスプリングからなる捩じりばね２５２が設けられる。捩じりばね２５２は、回転軸部２４５の筒部内に配置され、捩じりばね２５２の一端部２５２ａは、回転軸部２４５側に支持され、他端部２５２ｂは、ヘッドフォン本体部２４１側に支持される。
【００７８】
従って、耳掛けアーム２４８が回転軸部２４５と共に図８及び図９に示した位置に回転操作されると、捩じりばね２５２が巻き締められ、ばね力を発生させた状態で、ガイド突起２５０が回転位置ロック手段であるガイド溝２４９の狭小部２５１に圧入係合され一時的にロックされる。よって、耳掛けアーム２４８は、僅かに復帰方向に押し戻されることで狭小部２５１からガイド突起２５０のロックが解除され、捩じりばね２５２の復帰力によって回転軸部２４５と共に耳掛けアーム２４８が逆転し、図６及び図７に示した位置に復帰する。符号２５３は、ハウジング２４４から引き出されている導線（コード）である。
【００７９】
ヘッドフォン２２０の装着操作は、次のように行うことができる。まず、図６及び図７の状態から耳掛けアーム２４８を回動規制位置まで回転させる。これによって、耳掛けアーム２４８は、図８及び図９に示すように、イヤーパッド２４３から螺旋状に平行に離間された状態で回転位置ロック手段により一時的に最大角でロックされる。この状態で耳掛けアーム２４８を耳部に掛け止めした後、耳掛けアーム２４８のロックを解除すれば、耳掛けアーム２４８が捩じりばね２５２のばね力により復帰することで、耳掛けアーム２４８とイヤーパッド２４３とで耳部の全体が適度な保持力で均一に挟み付けられると共に、イヤーパッド２４３が耳部に密着し、ヘッドフォン２２０の装着状態となる。このときの耳掛けアーム２４８の位置は、第２の角度（最小角より大きい角度）で固定されたときの位置の一例である。
【００８０】
ヘッドフォン２２０の取外し操作については、耳掛けアーム２４８を再び回動規制位置（最大角）まで回転させることによって、耳掛けアーム２４８とイヤーパッド２４３とが離間されて耳部の挟み付けが解除されることになり、この後、耳掛けアーム２４８を耳部から引き上げることによって取外すことができる。そして、耳掛けアーム２４８は、最小角度の位置で固定される。
【００８１】
着脱検出部２２４は、図示しないが、例えば、ガイド突起２５０が係合されるガイド溝２４９に設けられる。着脱検出部２２４は、ガイド突起２５０のガイド溝２４９における位置を検出する。ガイド突起２５０のガイド溝２４９における位置とは、ヘッドフォン２２０取外し時のガイド突起２５０の位置（最小角の位置）や、耳掛けアーム２４８が回動規制位置まで回転したときの位置（最大角の位置）や、耳掛けアーム２４８が耳部に取り付けられているときの位置（最小角より大きい角度のときの位置）である。
【００８２】
次に、図１２を参照して、本発明の第２の実施形態に係る音声再生装置２００の着脱検出による停止及び再生動作について説明する。図１２は、本実施形態に係る音声再生装置２００の着脱検出による再生及び停止動作を示すフローチャートである。
【００８３】
まず、音声再生装置２００は、例えば、再生制御部１１２が操作部１３０からの信号を受信して、音声再生部１１８から出力される音声信号を再生する（ステップＳ２０２）。このとき、スピーカユニット１２２が頭部に装着されているとする。
【００８４】
次に、ヘッドフォン２２０が頭部に装着されている状態から取外される場合について説明する。着脱検出部２２４は、ヘッドフォン２２０が耳から取外されるため、耳掛けアーム２４８が回動規制位置まで回転したときの位置（最大角の位置）にあるかを判断する（ステップＳ２０４）。最大角まで回動していない場合は、再生制御部１１２は、音声信号の再生を継続する（ステップＳ２０２）。
【００８５】
一方、最大角まで回動した場合は、次に、着脱検出部２２４は、最小角を超えた角度の位置で耳掛け部２４８が固定されているかを判断する（ステップＳ２０６）。耳掛け部２４８が最小角を越えた角度で固定されているときは、依然として、ヘッドフォン２２０が耳に装着されている状態であるため、音声信号の再生を継続する（ステップＳ２０２）。耳掛け部２４８が最小角で固定されているときは、ヘッドフォン２２０が耳から完全に取外されている状態であるため、音声信号の再生を待機状態とする（ステップＳ２０８）。
【００８６】
次に、ヘッドフォン２２０が耳から完全に取外されている状態から、頭部に装着される場合について説明する。着脱検出部２２４は、ヘッドフォン２２０が耳に装着されるため、耳掛けアーム２４８が回動規制位置まで回転したときの位置（最大角の位置）にあるかを判断する（ステップＳ２１０）。最大角まで回動していない場合は、再生制御部１１２は、音声信号の再生待機状態を継続する（ステップＳ２０８）。
【００８７】
一方、最大角まで回動した場合は、次に、着脱検出部２２４は、最小角を超えた角度の位置で耳掛け部２４８が固定されているかを判断する（ステップＳ２１２）。耳掛け部２４８が最小角を越えた角度で固定されているときは、ヘッドフォン２２０が耳に装着されている状態であるため、音声信号の再生を再開する（ステップＳ２１４）。耳掛け部２４８が最小角で固定されているときは、依然として、ヘッドフォン２２０が耳から完全に取外されている状態であるため、音声信号の再生を待機状態とする（ステップＳ２０８）。
【００８８】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００８９】
例えば、上記実施形態では、音声信号を再生する場合について説明したが、本発明はかかる例に限定されない。出力装置１５０は、例えば、液晶ディスプレイ（ＬＣＤ）装置などの表示装置（図示せず。）と、音声出力装置であるヘッドフォン１２０などから構成されるとしてもよい。出力装置１５０は、例えば、再生されたコンテンツを出力し、具体的には、表示部（図示せず。）に対応する表示装置は、再生された映像データ等の各種情報をテキストまたはイメージで表示する。また、ヘッドフォン１２０に対応する音声出力装置は、再生された音声データ等を音声に変換して出力する。表示部は、ヘッドフォン１２０からの音声信号の出力と共に、映像信号を再生することができる。
【００９０】
このときの音声信号の出力と映像信号の出力の関係の実施例について説明する。例えば、スピーカユニット１２２が取外されるとすると、動画は再生し続けるが、音声信号の出力を停止するとしてもよい。そして、スピーカユニット１２２が取外されたまま所定時間（例えばＮ秒）が経過した場合、動画の再生を停止するとしてもよい。一方、所定時間（例えばＮ秒）が経過する前にスピーカユニット１２２が装着された場合、スピーカユニット１２２が取外されていた時間（例えばＴ秒）だけ動画及び音声の再生を巻戻して、取外し時に再生されていたデータから再生を開始するとしてもよい。また、スピーカユニット１２２が取外されている時間が所定の時間より長い場合（例えばＮ＋Ｌ秒以上）は、音声再生装置の電源をオフにするとしてもよい。
【図面の簡単な説明】
【００９１】
【図１】本発明の第１の実施形態に係る音声再生装置を示すブロック図である。
【図２】同実施形態に係るヘッドフォンを示す斜視図である。
【図３】同実施形態に係る音声再生装置のハードウェア構成を示す説明図である。
【図４】同実施形態に係る音声再生装置の着脱検出を示すフローチャートである。
【図５】本発明の第２の実施形態に係る音声再生装置を示すブロック図である。
【図６】同実施形態に係る装着前の耳掛け装着方式のヘッドフォンを示す斜視図である。
【図７】図６のヘッドフォンを示す側面図である。
【図８】ヘッドフォンの耳掛けアーム部を回転させて耳部に装着するときのヘッドフォンを示す斜視図である。
【図９】図８のヘッドフォンを示す側面図である。
【図１０】同実施形態のヘッドフォンを示す拡大断面図である。
【図１１】ヘッドフォンの回転軸部の回転範囲規制手段と回転位置ロック手段を示す平面図である。
【図１２】同実施形態に係る音声再生装置の着脱検出による再生及び停止動作を示すフローチャートである。
【符号の説明】
【００９２】
１００、２００      音声再生装置
１１０、２１０      本体
１１２      再生制御部
１１４      時間測定部
１１６      ノイズ低減制御部
１１８      音声再生部
１２０、２２０      ヘッドフォン
１２２      スピーカユニット
１２４、１２４Ａ、１２４Ｂ、１２４Ｃ、２２４      着脱検出部
１２６      マイクロフォンユニット
１３０      操作部
２１４      角度検出部
【図１】
2008289101.tif 000003
【図２】
2008289101.tif 000004
【図３】
2008289101.tif 000005
【図４】
2008289101.tif 000006
【図５】
2008289101.tif 000007
【図６】
2008289101.tif 000008
【図７】
2008289101.tif 000009
【図８】
2008289101.tif 000010
【図９】
2008289101.tif 000011
【図１０】
2008289101.tif 000012
【図１１】
2008289101.tif 000013
【図１２】
2008289101.tif 000014